(57)【要約】【課題】合成樹脂製の上枠を採用した場合に火炎に晒されても貫通口が形成され難い防火構造を実現しつつ、当該防火構造の部品点数を削減し、組立作業性を向上させること。【解決手段】建具１は、合成樹脂製の上枠２１と、外障子３及び内障子４と、第１中空部２１８の内部に設けられ、建物の躯体に固定されるとともに上枠２１を補強する不燃性または難燃性の補強部材５と、第２中空部２１０の内部に設けられ、第２中空部２１０の長手方向に沿って延在し、外障子３及び内障子４の上方側の部位と見込み方向に対向する不燃性または難燃性の遮炎部材６とを備える。遮炎部材６における外障子３及び内障子４の上方側の部位と見込み方向に対向する面には、加熱されることで膨張する第１熱膨張性部材１１，１２がそれぞれ設けられている。遮炎部材６は、補強部材５に支持され、下方側に向けて移動可能とする。【選択図】図２
2018096061.tif 000002
【特許請求の範囲】
【請求項１】
建物における開口部の縁部に沿って延在する第１中空部、及び前記第１中空部における下方側の見込み面に設けられ、前記第１中空部の長手方向に沿って延在する第２中空部を有する合成樹脂製の上枠と、
上方側の部位が前記第２中空部と見込み方向に対向し、前記上枠の長手方向に沿って移動して前記開口部を開閉可能とする障子と、
前記第１中空部の内部に設けられ、前記建物の躯体に固定されるとともに前記上枠を補強する不燃性または難燃性の補強部材と、
前記第２中空部の内部に設けられ、前記第２中空部の長手方向に沿って延在し、前記上方側の部位と見込み方向に対向する不燃性または難燃性の遮炎部材とを備え、
前記遮炎部材における前記上方側の部位と見込み方向に対向する面には、
加熱されることで膨張する第１熱膨張性部材が設けられ、
前記遮炎部材は、
前記補強部材に支持され、下方側に向けて移動可能とする
ことを特徴とする建具。
【請求項２】
前記遮炎部材は、
長手方向の中心位置が前記開口部を閉じた状態での前記障子の戸尻側の部位と見込み方向に対向するように前記補強部材に支持される
ことを特徴とする請求項１に記載の建具。
【請求項３】
前記第２中空部は、
下方側の見込み面を構成する見込み壁部が前記遮炎部材の下端部に当接し、前記遮炎部材における下方側に向けた移動を規制する
ことを特徴とする請求項１または２に記載の建具。
【請求項４】
前記補強部材と前記遮炎部材との間には、
加熱されることで膨張する第２熱膨張性部材が設けられている
ことを特徴とする請求項１〜３のいずれか一つに記載の建具。
【発明の詳細な説明】
【技術分野】
【０００１】
本発明は、例えば、引違い窓等の建具に関する。
【背景技術】
【０００２】
従来、引違い窓等の建具において、建物の開口部の縁部に取り付けられる合成樹脂製の枠体と、枠体に案内されつつ移動して建物の開口部を開閉可能とする障子（外障子及び内障子）とを備えた建具が知られている。
ところで、外障子及び内障子の戸尻側の部位は、当該外障子及び内障子にて建物の開口部を閉じた状態とした際に、戸先側の部位とは異なり、枠体を構成する縦枠等により支持されていない。このため、火災等により、枠体が加熱されて溶融した場合には、召合せ部分（外障子及び内障子にて建物の開口部を閉じた状態とした際に召合せ框同士が見込み方向に対向する部分）の上部において、枠体を構成する上枠と外障子及び内障子との間に貫通口が形成され易い。このように貫通口が形成された場合には、当該貫通口を介して、室内外を火炎が貫通することとなる。
【０００３】
そこで、火炎に晒されても上述した貫通口が形成され難い防火構造を採用した建具が提案されている（例えば、特許文献１参照）。
特許文献１に記載の建具において、上枠は、建物における開口部の縁部に沿って延在する第１中空部（中央中空部）と、第１中空部における下方側の見込み面に設けられ、第１中空部の長手方向に沿って延在する第２中空部（内周中空部）とを備え、樹脂材料で構成されている。
ここで、第２中空部は、召合せ部分に位置する部位が切除されている。すなわち、第２中空部は、当該切除された部位を挟んで両側に設けられている。
そして、第１中空部の内部には、建物の躯体に固定されるとともに上枠を補強する不燃性または難燃性の補強部材（第１枠側補強部材）が設けられている。また、２つの第２中空部の内部には、当該２つの第２中空部を貫通し、外障子及び内障子の上方側の部位と見込み方向に対向する不燃性または難燃性の遮炎部材が設けられている。さらに、遮炎部材において、外障子及び内障子にて建物の開口部を閉じた状態とした際に、当該外障子及び内障子の上方側の部位と見込み方向に対向する面には、熱膨張性部材（熱膨張性黒鉛）がそれぞれ設けられている。また、２つの第２中空部の間には、補強部材に固定され、遮炎部材を支持する不燃性の中継部材が設けられている。
以上のように、特許文献１に記載の防火構造では、外障子及び内障子の上方側の部位と見込み方向に対向するように遮炎部材、中継部材、及び熱膨張性部材を設けている。これにより、特許文献１に記載の防火構造では、召合せ部分の上部において、上枠と外障子及び内障子との間に貫通口が形成され難い構造を実現している。
【先行技術文献】
【特許文献】
【０００４】
【特許文献１】特開２０１５−１０５４６６号公報
【発明の概要】
【発明が解決しようとする課題】
【０００５】
しかしながら、特許文献１に記載の防火構造では、補強部材と、遮炎部材と、中継部材と、熱膨張性部材とを採用しており、建具の組立作業性を考慮すると、当該組立作業性に適した部品点数とは言えない。このため、合成樹脂製の上枠を採用した場合に火炎に晒されても貫通口が形成され難い防火構造を実現しつつ、当該防火構造の部品点数を削減し、建具の組立作業性を向上させることができる技術が要望されている。
【０００６】
本発明は、上記実情に鑑みて、合成樹脂製の上枠を採用した場合に火炎に晒されても貫通口が形成され難い防火構造を実現しつつ、当該防火構造の部品点数を削減し、組立作業性を向上させることができる建具を提供することを目的とする。
【課題を解決するための手段】
【０００７】
上記目的を達成するため、本発明に係る建具は、建物における開口部の縁部に沿って延在する第１中空部、及び前記第１中空部における下方側の見込み面に設けられ、前記第１中空部の長手方向に沿って延在する第２中空部を有する合成樹脂製の上枠と、上方側の部位が前記第２中空部と見込み方向に対向し、前記上枠の長手方向に沿って移動して前記開口部を開閉可能とする障子と、前記第１中空部の内部に設けられ、前記建物の躯体に固定されるとともに前記上枠を補強する不燃性または難燃性の補強部材と、前記第２中空部の内部に設けられ、前記第２中空部の長手方向に沿って延在し、前記上方側の部位と見込み方向に対向する不燃性または難燃性の遮炎部材とを備え、前記遮炎部材における前記上方側の部位と見込み方向に対向する面には、加熱されることで膨張する第１熱膨張性部材が設けられ、前記遮炎部材は、前記補強部材に支持され、下方側に向けて移動可能とすることを特徴とする。
【０００８】
本発明では、不燃性または難燃性の補強部材は、第１中空部の内部に設けられ、建物の躯体に固定される。また、不燃性または難燃性の遮炎部材は、第２中空部の内部に設けられ、障子における上方側の部位と見込み方向に対向するとともに、補強部材に支持される。さらに、遮炎部材における障子の上方側の部位と見込み方向に対向する面には、第１熱膨張性部材が設けられている。このため、火炎等により加熱されて上枠が溶融した場合であっても、遮炎部材と障子の上方側の部位とが見込み方向に対向している。そして、第１熱膨張性部材が加熱により膨張することで、遮炎部材と障子との隙間を当該第１熱膨張性部材にて閉塞することができる。
特に、遮炎部材は、補強部材に支持され、下方側に向けて移動可能とする。このため、火炎等により加熱されて上枠（第２中空部）が溶融した状態では、遮炎部材は、下方側に移動する。すなわち、召合せ部分の上部において、遮炎部材と障子とが見込み方向に対向する面積が大きいものとなる。このため、第１熱膨張性部材が加熱により膨張することで、召合せ部分の上部において、遮炎部材と障子との隙間を当該第１熱膨張性部材にて効果的に閉塞することができる。
したがって、合成樹脂製の上枠を採用した場合に、火炎に晒されても、召合せ部分の上部において、上枠と障子との間に貫通口が形成され難い防火構造を実現することができる。また、当該防火構造として、補強部材と、遮炎部材と、第１熱膨張性部材とで構成することができるため、建具の組立作業性に適した部品点数となる。
以上のことから、本発明に係る建具によれば、合成樹脂製の上枠を採用した場合に火炎に晒されても貫通口が形成され難い防火構造を実現しつつ、当該防火構造の部品点数を削減し、組立作業性を向上させることができる、という効果を奏する。
【０００９】
また、本発明は、上述した建具において、前記遮炎部材は、長手方向の中心位置が前記開口部を閉じた状態での前記障子の戸尻側の部位と見込み方向に対向するように前記補強部材に支持されることを特徴とする。
本発明では、遮炎部材は、補強部材に対して上述した位置に固定される。ここで、遮炎部材が下方側に向けて移動可能とする構造として、例えば、遮炎部材が自重により下方側に向けて凸状に湾曲する構造を採用した場合を想定する。この場合には、遮炎部材が自重により湾曲した状態で、召合せ部分の上部において、当該遮炎部材と障子とが見込み方向に対向する面積を最も大きいものとすることができる。したがって、第１熱膨張性部材が加熱により膨張することで、召合せ部分の上部において、遮炎部材と障子との隙間を当該第１熱膨張性部材にて最も効果的に閉塞することができる。
【００１０】
また、本発明は、上述した建具において、前記第２中空部は、下方側の見込み面を構成する見込み壁部が前記遮炎部材の下端部に当接し、前記遮炎部材における下方側に向けた移動を規制することを特徴とする。
本発明では、第２中空部は、上述したように遮炎部材における下方側に向けた移動を規制する。すなわち、火炎等により第２中空部が溶融する前には、遮炎部材は、第２中空部の内部において、下方側に向けた移動が規制された姿勢で収容される。一方、火炎等により第２中空部が溶融した場合には、遮炎部材は、第２中空部による規制が解除され、下方側に向けて移動する。このため、遮炎部材が予め下方側に移動した状態で第２中空部の内部に収容した構成と比較して、第２中空部の上下方向の寸法を小さくすることができる。したがって、上枠を小型化することができる。
【００１１】
また、本発明は、上述した建具において、前記補強部材と前記遮炎部材との間には、加熱されることで膨張する第２熱膨張性部材が設けられていることを特徴とする。
本発明では、上述した位置に第２熱膨張性部材が設けられている。このため、第２熱膨張性部材が加熱により膨張することで、遮炎部材を押し下げ、当該遮炎部材を下方側に向けて移動させることができる。すなわち、召合せ部分の上部において、遮炎部材と障子とが見込み方向に対向する面積をさらに大きくし、第１熱膨張性部材にて遮炎部材と障子との隙間をさらに効果的に閉塞することができる。また、下方側に移動した遮炎部材と補強部材との隙間を第２熱膨張性部材により閉塞することができる。
【発明の効果】
【００１２】
本発明に係る建具によれば、合成樹脂製の上枠を採用した場合に火炎に晒されても貫通口が形成され難い防火構造を実現しつつ、当該防火構造の部品点数を削減し、組立作業性を向上させることができる、という効果を奏する。
【図面の簡単な説明】
【００１３】
【図１】図１は、本発明の実施の形態１に係る建具を室内側から見た図である。
【図２】図２は、図１に示した建具の要部拡大縦断面図である。
【図３】図３は、図１及び図２に示した上枠を室外側から見た斜視図である。
【図４】図４は、図３に示した遮炎部材における室外側から見て左側の部位を示す斜視図である。
【図５】図５は、図３に示した遮炎部材における室外側から見て右側の部位を示す斜視図である。
【図６】図６は、図４及び図５に示した一対の第１熱膨張性部材の位置関係を示す図である。
【図７】図７は、本発明の実施の形態１の効果を説明する図である。
【図８】図８は、本発明の実施の形態２に係る建具の要部拡大縦断面図である。
【発明を実施するための形態】
【００１４】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１５】
（実施の形態１）
〔建具の概略構成〕
図１は、本発明の実施の形態１に係る建具１を室内側から見た図である。図２は、建具１の要部拡大縦断面図である。
なお、以下で記載する「見込み方向」は、図２の矢印Ａｒで示すように、建具１の奥行きに沿った方向である。見込み方向に沿った平面については、見込み面と称し、見込み方向に直交する平面については、見付け面と称する場合がある。
建具１は、引違い窓で構成され、枠体２と、外障子３と、内障子４とを備える。
枠体２は、上枠２１、下枠２２、図１中、左側に位置する左枠２３、及び図１中、右側に位置する右枠２４を四周枠組みすることによって構成され、建物の開口部Ｏｐの縁部に沿うように取り付けられる。
本実施の形態では、これら各枠部材２１〜２４は、合成樹脂製の押し出し形材であり、全長に亘って略一様な断面形状を有する。
なお、本発明の要部となる上枠２１の詳細な構成については後述する。
【００１６】
外障子３は、本発明に係る障子に相当する部分であり、内障子４に対して室外側に位置し、枠体２に対して図１中、左右方向に開閉移動可能に取り付けられている。この外障子３は、面材３１と、框体３２とを備える。
面材３１は、スペーサ３１１を介して一対のガラス板３１２，３１３を互いに間隔を隔てて対面配置した２層の複層ガラスで構成されている。
框体３２は、上框３２１、下框３２２、戸先框３２３、及び召合せ框（図示略）を框組みすることにより構成され、内部で面材３１を保持する。
これら上框３２１、下框３２２、戸先框３２３、及び召合せ框（図示略）は、合成樹脂製またはアルミニウム等の金属製の押し出し形材であり、全長に亘って略一様な断面形状を有する。
【００１７】
内障子４は、本発明に係る障子に相当する部分であり、枠体２に対して図１中、左右方向に開閉移動可能に取り付けられている。この内障子４は、外障子３における面材３１（スペーサ３１１及び一対のガラス板３１２，３１３を含む）及び框体３２（上框３２１、下框３２２、戸先框３２３、及び召合せ框（図示略）を含む）とそれぞれ同様の面材４１（スペーサ４１１及び一対のガラス板４１２，４１３を含む）及び框体４２（上框４２１、下框４２２、戸先框４２３、及び召合せ框４２４を含む）を備える。
【００１８】
上述した外障子３及び内障子４において、戸先框３２３が左枠２３に当接するとともに、戸先框４２３が右枠２４に当接した場合には、外障子３の召合せ框（図示略）と内障子４の召合せ框４２４とが互いに係合する。そして、開口部Ｏｐは、外障子３及び内障子４にて閉塞される。この状態では、外障子３の召合せ框（図示略）と内障子４の召合せ框４２４との間は、クレセントＣＲ（図１）によってロック可能である。当該クレセントＣＲによりロックすることにより、外障子３及び内障子４は、開口部Ｏｐを閉塞した状態に保持される。
【００１９】
本実施の形態１では、上枠２１の内部には、当該上枠２１を補強する補強部材５（図２）と、当該補強部材５とともに建具１の上端部側の防火構造を構成する遮炎部材６（図２）とが設けられている。
以下、上枠２１、補強部材５、及び遮炎部材６の構成について、順に説明する。
【００２０】
〔上枠の構成〕
図３は、上枠２１を室外側から見た斜視図である。
上枠２１は、枠本体部２１１と、外壁部２１２と、内壁部２１３と、中央壁部２１４と、躯体固定部２１５と、内装材固定部２１６とを備える。
枠本体部２１１は、開口部Ｏｐの縁部に沿って延在した角筒形状を有し、見込み方向に沿って並ぶ端中空部２１７，２１９及び中央中空部２１８を備える。これら各中空部２１７〜２１９のうち、見込み方向の中央に位置する中央中空部２１８は、室外側及び室内側にそれぞれ位置する端中空部２１７，２１９よりも見込み方向の長さ寸法が大きく形成されている。そして、中央中空部２１８の内部に、補強部材５が設けられている。すなわち、中央中空部２１８は、本発明に係る第１中空部に相当する。
【００２１】
外壁部２１２及び内壁部２１３は、枠本体部２１１における室外側の端部及び室内側の端部からそれぞれ下方側に延在した部分である。
中央壁部２１４は、中央中空部２１８における下方側の見込み面から下方側に延在した部分であり、外壁部２１２と内壁部２１３との間を見込み方向において２つの領域に仕切る。また、この中央壁部２１４は、当該中央壁部２１４の全長に亘って貫通した内周中空部２１０を有する。そして、内周中空部２１０の内部に、遮炎部材６が設けられている。すなわち、内周中空部２１０は、本発明に係る第２中空部に相当する。
【００２２】
ここで、外壁部２１２と、中央壁部２１４と、枠本体部２１１における下方側の見込み面とで構成されるＵ字状の溝部分には、外障子３の上方側の部位が収容される。すなわち、外障子３の上方側の部位は、中央壁部２１４と見込み方向に対向する。また、当該溝部分には、外障子３を閉じた状態とした際に、当該外障子３の戸尻側の部位（召合せ部分）と見込み方向に対向する位置に不燃性の吊り下げ金具７が設けられている。
吊り下げ金具７は、見込み方向に沿って延在する基部７１と、基部７１における室外側の端部から下方側に屈曲して延在し、さらに、先端部分が室内側に屈曲した鉤状部７２とを備える。そして、基部７１（吊り下げ金具７）は、中央中空部２１８における下方側の見込み面を構成する見込み壁部を介して、補強部材５にネジＳｃ１にて固定される。
【００２３】
また、内壁部２１３と、中央壁部２１４と、枠本体部２１１における下方側の見込み面とで構成されるＵ字状の溝部分には、内障子４の上方側の部位が収容される。すなわち、内障子４の上方側の部位は、中央壁部２１４と見込み方向に対向する。また、当該溝部分には、内障子４を閉じた状態とした際に、当該内障子４の戸尻側の部位（召合せ部分）と見込み方向に対向する位置に不燃性の吊り下げ金具８が設けられている。
吊り下げ金具８は、見込み方向に沿って延在する基部８１と、基部８１における室内側の端部から下方側に屈曲して延在し、さらに、先端部分が室外側に屈曲した鉤状部８２とを備える。そして、基部８１（吊り下げ金具８）は、中央中空部２１８における下方側の見込み面を構成する見込み壁部を介して、補強部材５にネジＳｃ２にて固定される。
そして、吊り下げ金具７，８は、外障子３及び内障子４が火炎等により加熱されて溶融して下方側に移動した際に、当該外障子３及び内障子４の上端にそれぞれ設けられたフック金具３３，４３にそれぞれ係合する。すなわち、吊り下げ金具７，８は、外障子３及び内障子４の下方側への移動（脱落）を防止する機能をそれぞれ有する。
【００２４】
躯体固定部２１５は、枠本体部２１１（中央中空部２１８）における上方側の見込み面から上方側にヒレ状に延在し、ネジＳｃ３により建物の躯体（図示略）に固定される部分である。
内装材固定部２１６は、内壁部２１３における室内側の見付け面から室内側にヒレ状に延在し、枠体２に対して室内側に並設される額縁等の内装材（図示略）に対してネジＳｃ４により固定される部分である。
【００２５】
〔補強部材の構成〕
補強部材５は、中央中空部２１８の内部に設けられている。この補強部材５は、上枠２１の全長と略同一の全長を有するアルミニウム等の金属製の部材であり、全長に亘って略一様な断面形状を有する。そして、補強部材５は、下対向部５１と、内対向部５２と、上方延出部５３と、上下接合壁部５４とを備える。
下対向部５１は、見込み方向に沿って延在し、中央中空部２１８における下方側の見込み面を構成する見込み壁部に対向する部分である。そして、下対向部５１には、ネジＳｃ１，Ｓｃ２がそれぞれ螺合され、当該ネジＳｃ１，Ｓｃ２を介して吊り下げ金具７，８が固定される。
上方延出部５３は、下対向部５１における室外側の端部から上方側に屈曲して延在し、中央中空部２１８における室外側の壁部に対向する部分である。
上下接合壁部５４は、下対向部５１における室内側の端部から上方側に屈曲して延在して下対向部５１と内対向部５２との室内側の端部同士を上下に繋ぐ部分であり、中央中空部２１８における室内側の壁部に対向する。
【００２６】
内対向部５２は、上下接合壁部５４における上方側の端部から室外側に屈曲して延在し、中央中空部２１８における上方側の見込み面を構成する見込み壁部に対向する部分である。この内対向部５２には、中央中空部２１８における上方側の見込み面を構成する見込み壁部を介して、ネジＳｃ５が螺合される。そして、このネジＳｃ５により、補強部材５は、上枠２１の上方側に設けられた連結金具９に固定される。
連結金具９は、見込み方向に沿って延在し、ネジＳｃ５にて補強部材５に固定される第１固定片９１と、第１固定片９１における室外側の端部から上方側に屈曲して延在する第２固定片９２とを備え、断面視Ｌ字形状を有する。そして、第２固定片９２は、躯体固定部２１５と建物の躯体（図示略）との間に挟み込まれた状態で、躯体固定部２１５とともにネジＳｃ３にて当該躯体に固定される。すなわち、補強部材５は、連結金具９を介して、建物の躯体（図示略）に固定されている。
【００２７】
〔遮炎部材の構成〕
図４は、遮炎部材６における室外側から見て左側の部位を示す斜視図である。図５は、遮炎部材６における室外側から見て右側の部位を示す斜視図である。
遮炎部材６は、内周中空部２１０の内部に設けられている。この遮炎部材６は、アルミニウム等の金属材料で構成され、上枠２１の全長と略同一の全長を有する。そして、遮炎部材６は、遮炎壁部６１と、一対の補強片６２と、一対の取付片６３とを備え、断面視Ｕ字形状を有する。
遮炎壁部６１は、内周中空部２１０の長手方向に沿って延在する板体で構成され、内周中空部２１０の内部において、各板面が室内側及び室外側にそれぞれ向く姿勢で配設される。
一対の補強片６２は、遮炎壁部６１を補強する部分であり、遮炎壁部６１の上下の端部から室外側に屈曲して延在する。
一対の取付片６３は、一対の補強片６２のうち上方側の補強片６２を室外側から見て左方向及び右方向にそれぞれ延長した部分である。また、一対の取付片６３には、遮炎部材６の長手方向に沿って延び、ネジＳｃ６が挿通される長穴６３１がそれぞれ形成されている。そして、遮炎部材６は、中央中空部２１８及び内周中空部２１０の境界に位置する壁部を介して、補強部材５に当該ネジＳｃ６にて固定される。すなわち、遮炎部材６は、長手方向の両端側が補強部材５に固定される。
【００２８】
以上説明した遮炎部材６は、その形状により、弾性変形可能に構成されている。より具体的に、遮炎部材６は、自重により、長手方向の両端側に対して中央部分が下方側に移動し、下方側に向けて凸状に湾曲可能とする。また、遮炎部材６は、長手方向の中心位置ＣＴ（図６参照）が外障子３及び内障子４にて開口部Ｏｐを閉じた状態とした際に、当該外障子３及び内障子４の戸尻側の部位（召合せ部分）と見込み方向に対向するように、補強部材５に固定される。
ここで、遮炎部材６は、その下端部が内周中空部２１０における下方側の見込み面を構成する見込み壁部に当接し、自重による湾曲が規制されている。すなわち、遮炎部材６は、内周中空部２１０の内部に収容されている状態（中央壁部２１４（内周中空部２１０）が溶融していない状態）では、当該内周中空部２１０の内部において、略直線状となる姿勢で収容されている（図７の一点鎖線参照）。
【００２９】
また、遮炎壁部６１における室内側及び室外側の各板面には、加熱されることで膨張する第１熱膨張性部材（加熱発泡材）１１，１２がそれぞれ設けられている。
図６は、一対の第１熱膨張性部材１１，１２の位置関係を示す図である。具体的に、図６（ａ）は、遮炎部材６を室内側から見た図である。図６（ｂ）は、遮炎部材６を上下反転した姿勢とし、室外側から見た図である。
一対の第１熱膨張性部材１１，１２のうち第１熱膨張性部材１１は、遮炎壁部６１における室外側の板面において、外障子３を閉じた状態とした際に、当該外障子３の上方側の部位と見込み方向に対向する位置に設けられている。
一方、第１熱膨張性部材１２は、遮炎壁部６１における室内側の板面において、内障子４を閉じた状態とした際に、当該内障子４の上方側の部位と見込み方向に対向する位置に設けられている。
このため、一対の第１熱膨張性部材１１，１２は、遮炎部材６における長手方向の中心位置ＣＴを含む中央部分において、見込み方向に互いに重なり合った状態となる。
【００３０】
以上説明した本実施の形態１に係る建具１によれば、以下の効果を奏する。
図７は、本発明の実施の形態１の効果を説明する図である。
本実施の形態１に係る建具１では、アルミニウム等の金属製の補強部材５は、中央中空部２１８の内部に設けられ、建物の躯体に固定される。また、アルミニウム等の金属製の遮炎部材６は、内周中空部２１０の内部に設けられ、外障子３及び内障子４における上方側の部位と見込み方向に対向するとともに、補強部材５に固定される。さらに、遮炎部材６における外障子３及び内障子４の上方側の部位と見込み方向に対向する面には、第１熱膨張性部材１１，１２がそれぞれ設けられている。このため、火炎等により加熱されて上枠２１が溶融した場合であっても、遮炎部材６と外障子３及び内障子４とが見込み方向に対向している。そして、第１熱膨張性部材１１，１２が加熱により膨張することで、遮炎部材６と外障子３及び内障子４との隙間を当該第１熱膨張性部材１１，１２にて閉塞することができる。
特に、遮炎部材６は、長手方向の両端側が補強部材５に固定されている。このため、火炎等により加熱されて上枠２１（中央壁部２１４）が溶融した状態では、遮炎部材６は、自重により下方側に向けて凸状に湾曲した状態となる（図７の二点鎖線）。すなわち、召合せ部分の上部において、遮炎部材６と外障子３及び内障子４とが見込み方向に対向する面積が大きいものとなる。このため、第１熱膨張性部材１１，１２が加熱により膨張することで、召合せ部分の上部において、遮炎部材６と外障子３及び内障子４との隙間を当該第１熱膨張性部材１１，１２にて効果的に閉塞することができる。
したがって、合成樹脂製の上枠２１を採用した場合に、火炎に晒されても、召合せ部分の上部において、上枠２１と外障子３及び内障子４との間に貫通口が形成され難い防火構造を実現することができる。また、当該防火構造として、補強部材５と、遮炎部材６と、第１熱膨張性部材１１，１２とで構成することができるため、建具１の組立作業性に適した部品点数となる。
以上のことから、本実施の形態１に係る建具１によれば、合成樹脂製の上枠２１を採用した場合に火炎に晒されても貫通口が形成され難い防火構造を実現しつつ、当該防火構造の部品点数を削減し、組立作業性を向上させることができる、という効果を奏する。
【００３１】
また、本実施の形態１に係る建具１では、遮炎部材６は、長手方向の中心位置ＣＴが外障子３及び内障子４の召合せ部分と見込み方向に対向するように補強部材５に固定される。このため、遮炎部材６が自重により湾曲した状態で、召合せ部分の上部において、当該遮炎部材６と外障子３及び内障子４とが見込み方向に対向する面積を最も大きいものとすることができる。したがって、第１熱膨張性部材１１，１２が加熱により膨張することで、召合せ部分の上部において、遮炎部材６と外障子３及び内障子４との隙間を当該第１熱膨張性部材１１，１２にて最も効果的に閉塞することができる。
【００３２】
また、本実施の形態１に係る建具１では、内周中空部２１０は、遮炎部材６における自重による湾曲を規制する。すなわち、火炎等により内周中空部２１０が溶融する前には、遮炎部材６は、内周中空部２１０の内部において、自重による湾曲が規制され、略直線状となる姿勢で収容される（図７の一点鎖線）。一方、火炎等により内周中空部２１０が溶融した場合には、遮炎部材６は、内周中空部２１０による規制が解除され、自重により下方側に向けて凸状に湾曲する（図７の二点鎖線）。このため、遮炎部材６を予め湾曲させた状態で内周中空部２１０の内部に収容した構成と比較して、内周中空部２１０の上下方向の寸法を小さくすることができる。したがって、上枠２１を小型化することができる。
【００３３】
（実施の形態２）
次に、本発明の実施の形態２について説明する。
以下の説明では、実施の形態１と同様の構成には同一符号を付し、その詳細な説明は省略または簡略化する。
図８は、本発明の実施の形態２に係る建具１Ａの要部拡大縦断面図である。
本実施の形態２に係る建具１Ａは、上述した実施の形態１で説明した建具１に対して、補強部材５と遮炎部材６との間に第２熱膨張性部材（加熱発泡材）１３を設けた点が異なるのみである。
具体的に、第２熱膨張性部材１３は、第１熱膨張性部材１１，１２と同一の材料で構成されている。そして、第２熱膨張性部材１３は、補強部材５における下対向部５１の下面において、遮炎部材６における補強片６２に対向する位置に設けられている。
なお、第２熱膨張性部材１３を設ける位置は、上述した位置に限らず、補強部材５と遮炎部材６との間であれば、例えば、補強片６２に設けても構わない。
【００３４】
以上説明した本実施の形態２に係る建具１Ａによれば、上述した実施の形態１と同様の効果の他、以下の効果を奏する。
本実施の形態２に係る建具１Ａでは、補強部材５と遮炎部材６との間に第２熱膨張性部材１３が設けられている。このため、第２熱膨張性部材１３が加熱により膨張することで、遮炎部材６を押し下げ、当該遮炎部材６の湾曲量を増加させることができる。すなわち、召合せ部分の上部において、遮炎部材６と外障子３及び内障子４とが見込み方向に対向する面積をさらに大きくし、第１熱膨張性部材１１，１２にて遮炎部材６と外障子３及び内障子４との隙間をさらに効果的に閉塞することができる。また、湾曲した遮炎部材６における長手方向の中央部分と補強部材５との隙間を第２熱膨張性部材１３により閉塞することができる。
【００３５】
（その他の実施の形態）
ここまで、本発明を実施するための形態を説明してきたが、本発明は上述した実施の形態１，２によってのみ限定されるべきものではない。
上述した実施の形態１，２では、本発明に係る建具を引違い窓に採用していたが、これに限らない。例えば、３枚以上の障子が左右方向にスライドする引違い方式の窓や両袖片引き窓や引き分け窓、枠体内の領域が縦骨により区分けされ、区分けされた一方の領域がＦＩＸ窓や壁をなす片引き窓等、各種の建具に本発明を採用しても構わない。
上述した実施の形態１，２において、補強部材５及び遮炎部材６の材料は、不燃性または難燃性の材料であれば、いずれの材料を採用しても構わない。
上述した実施の形態１，２において、遮炎部材６を予め湾曲させた状態で内周中空部２１０の内部に収容した構成を採用しても構わない。
【００３６】
上述した実施の形態１，２では、遮炎部材６が自重により下方側に向けて凸状に湾曲する構造としていたが、遮炎部材６が下方側に向けて移動可能な構造であれば、その他の構造を採用しても構わない。例えば、遮炎部材６の両端部を段付きビスにより補強部材５に支持させておき、当該遮炎部材６の熱伸び等に応じて、当該遮炎部材６全体が下方側に向けて移動する構造を採用しても構わない。
【符号の説明】
【００３７】
１，１Ａ  建具、３  外障子（障子）、４  内障子（障子）、５  補強部材、６  遮炎部材、１１，１２  第１熱膨張性部材、１３  第２熱膨張性部材、２１  上枠、２１０  内周中空部（第２中空部）、２１８  中央中空部（第１中空部）、ＣＴ  中心位置、Ｏｐ  開口部
【図１】
2018096061.tif 000003
【図２】
2018096061.tif 000004
【図３】
2018096061.tif 000005
【図４】
2018096061.tif 000006
【図５】
2018096061.tif 000007
【図６】
2018096061.tif 000008
【図７】
2018096061.tif 000009
【図８】
2018096061.tif 000010